(57)【特許請求の範囲】
【請求項１】
ガス管用、液管用の各サービスバルブを内蔵する空気調和機の室外機において、各サービスバルブを支持する支持板の基部をこの室外機の側板に片持ち支持し、この支持板の基部には前記ガス管用のサービスバルブを配置し、支持板の自由端部には前記液管用のサービスバルブを配置し、かつガス管用サービスバルブのサービスポートのねじ外径は、当該サービスバルブの胴部外径よりも小さく形成したことを特徴とする空気調和機の室外機。
【請求項２】
ガス管用、液管用の各サービスバルブを内蔵する空気調和機の室外機において、各サービスバルブを支持する支持板の基部をこの室外機の側板に片持ち支持し、この支持板の基部には前記ガス管用のサービスバルブを配置し、支持板の自由端部には前記液管用のサービスバルブを配置し、かつ支持板の自由端部には、サービスバルブのねじを緩め又は締める時に、工具を引っ掛けるための折り曲げ部を形成したことを特徴とする空気調和機の室外機。
【請求項３】
ガス管用、液管用の各サービスバルブを内蔵する空気調和機の室外機において、各サービスバルブを支持する支持板の基部をこの室外機の側板に片持ち支持し、この支持板の基部には前記ガス管用のサービスバルブを配置し、支持板の自由端部には前記液管用のサービスバルブを配置し、かつガス管用サービスバルブの有する一対の固定用孔のうちの一方の固定用孔には支持板から延びるピンが嵌められ、他方の固定用孔にはサービスバルブ固定用のねじが通されることを特徴とする空気調和機の室外機。
【発明の詳細な説明】
【０００１】
【発明の属する技術分野】
本発明は、ガス管用、液管用の各サービスバルブを内蔵する空気調和機の室外機に関するものである。
【０００２】
【従来の技術】
一般に、分離型の空気調和機では、室内機の室内熱交換器と室外機の室外熱交換器を冷媒管で接続して冷媒を循環するようになっている。このような室外機には、冷媒のガス管が接続されるサービスバルブと冷媒の液管が接続されるサービスバルブが内蔵されている。
【０００３】
図７は、従来の室外機２００に内蔵されたガス管接続用のサービスバルブ２０１と、液管接続用のサービスバルブ２０２とを示している。サービスバルブ２０１はサービスバルブ２０２よりも太く、両サービスバルブ２０１，２０２は支持板２０３に並べて固定されている。この支持板２０３は室外機２００の後側において、仕切り板２０４と側板２０５の間に取り付けられる。
【０００４】
【発明が解決しようとする課題】
しかしながら、従来の構成では、仕切り板２０４と側板２０５の間に支持板２０３が水平に取り付けられているので、例えば室外機２００内のコンプレッサ２０６等の点検や交換を行うとき等に、作業の邪魔になるという問題がある。
【０００５】
本発明は上記課題を解消し、ガス管が接続されるサービスバルブと液管が接続されるサービスバルブを設けても、室外機内の要素の点検や交換を容易に行うことができる空気調和機の室外機を提供する。
【０００６】
【課題を解決するための手段】
請求項１に記載の発明は、ガス管用、液管用の各サービスバルブを内蔵する空気調和機の室外機において、各サービスバルブを支持する支持板の基部をこの室外機の側板に片持ち支持し、この支持板の基部には前記ガス管用のサービスバルブを配置し、支持板の自由端部には前記液管用のサービスバルブを配置し、かつガス管用サービスバルブのサービスポートのねじ外径は、当該サービスバルブの胴部外径よりも小さく形成したことを特徴とするものである。
【０００９】
請求項１に記載の発明では、ガス管のサービスバルブのサービスポート側からサービスバルブの胴部に工具をはめ込むことができるので、サービスバルブの胴部を工具で保持した状態で、サービスバルブのねじを、簡単に緩め又は締めることができる。
【００１０】
請求項２に記載の発明は、ガス管用、液管用の各サービスバルブを内蔵する空気調和機の室外機において、各サービスバルブを支持する支持板の基部をこの室外機の側板に片持ち支持し、この支持板の基部には前記ガス管用のサービスバルブを配置し、支持板の自由端部には前記液管用のサービスバルブを配置し、かつ支持板の自由端部には、サービスバルブのねじを緩め又は締める時に、工具を引っ掛けるための折り曲げ部を形成したことを特徴とするものである。
【００１１】
請求項２に記載の発明では、折り曲げ部を工具で保持した状態で、サービスバルブのねじを緩め又は締めることが簡単に行える。
【００１２】
請求項３に記載の発明は、ガス管用、液管用の各サービスバルブを内蔵する空気調和機の室外機において、各サービスバルブを支持する支持板の基部をこの室外機の側板に片持ち支持し、この支持板の基部には前記ガス管用のサービスバルブを配置し、支持板の自由端部には前記液管用のサービスバルブを配置し、かつガス管用サービスバルブの有する一対の固定用孔のうちの一方の固定用孔には支持板から延びるピンが嵌められ、他方の固定用孔にはサービスバルブ固定用のねじが通されることを特徴とするものである。
【００１３】
請求項３に記載の発明では、一本のねじで固定するので、サービスバルブの固定は簡単になり、サービスバルブにモーメントがかかったとしても、ピンがそれを支えるので、サービスバルブが回転することはない。
【００１４】
【発明の実施の形態】
以下、本発明の好適な実施の形態を図面に基づいて説明する。
【００１５】
図１において、分離型の空気調和機は、室内機（図示せず）と室外機５から構成されており、冷媒管により接続された冷媒回路に冷媒を流して、冷房運転及び暖房運転をするようになっている。室外機５は室外に配置され、室外空気と熱交換して冷房運転時には冷媒を凝縮させて外気に熱を放出し、暖房運転時には冷媒を蒸発させて外気から熱を取り込む。
【００１６】
室外機５は図１及び図２に示すように、本体３内に冷媒回路の各冷凍機器が収容されている。即ち、本体３内には、上からみて略Ｌ字型の熱交換器９が配置されており、熱交換器９に室外空気を送風するプロペラファン１１、ファンモータ１３及びファンモータを取り付ける支持板１５ａ，１５ｂが収容されている。パネ１６にはファンガード１７が設けられている。また、図２を参照して、図２の右側には、冷媒回路を形成するコンプレッサ１９、アキュムレータ２１、ストレーナ２３、コンプレッサ１９を加熱するヒータ２５等が設けられている。
【００１７】
室外機５の図２の上部には、種々の電装部品２７が設けられ、種々の電装部品２７と熱交換器９との間は仕切り板２９で仕切られている。本体３は、底板３１、外板３４、側板５３、天板３５及びパネル１６で構成されている。プロペラファン１１の回転により熱交換器９には外気が送風されて熱交換が行なわれる。室外機の後側の側部であって、底板３１には図３に示すように遮蔽板５０が着脱自在に設けられている。この遮蔽板５０は、冷媒管等を導出するための切欠部５１ａ、５１ｂを有する。
【００１８】
この実施の形態によれば、本体３の側板５３のほぼ中間位置には、支持板５６が片持ち支持されている。即ち、この支持板５６は（図３参照）基部５６ｂを有し、この基部５６ｂは側板５３のほぼ中間位置にねじ５６ａを用いて固定されている。支持板５６の自由端部５６ｃには折り曲げ部５９が設けられ、この折り曲げ部５９は本体３の後方に水平に突出している。
【００１９】
この支持板５６はガス管用サービスバルブ５７と液管用サービルバルブ５８を固定し、しかも本体３内にはこれらのガス管用サービスバルブ５７と液管用サービルバルブ５８を内蔵している。
【００２０】
このガス管用のサービスバルブ５７は、室内機（図示せず）から導かれるガス管Ｌ１を接続し、液管用のサービスバルブ５８は、同じく室内機（図示せず）から導かれる液管Ｌ２を接続する。ガス管のサービスバルブ５７は、液管のサービスバルブ５８よりも大型で径が大きいことから、剛性の高い基部５６ｂ側にガス管用サービスバルブ５７が固定され、剛性の比較的弱い自由端部５６ｃ側に液管用サービスバルブ５８が固定されている。
【００２１】
このように振り分けて固定することにより、支持板５６を片持ち支持する構成にしたとしても、サービスバルブ５７、及びサービスバルブ５８の支持強度を高めることができる。尚、図３を参照して、上述した支持板５６の後方にはコンプレッサ１９が配置される。また、ガス管用のサービスバルブ５７のサービスポート６１のねじ外径Ｄ１は、このサービスバルブ５７の胴部６０の外径Ｄ２よりも小さく形成されている。
【００２２】
次に、ガス管用サービスバルブ５７のナット６３、及び液管用サービスバルブ５８のナット６５を締め／緩めする手順を説明する。
【００２３】
まず、図４に示すように、ガス管のサービスバルブ５７のナット６３を締めたり緩めたりする場合には、工具（レンチ）Ｋ１をＸ方向にはめ込んで、サービスバルブ５７の胴部６０を固定し、別の工具（レンチ）Ｋ２をナット６３にあてがって、中心軸ＣＬを中心としてＹ方向に回転させて、ナット６３を締めたり緩めたりあるいは外したりする。この時、ガス管のサービスバルブ５７のサービスポート６１のねじ外径Ｄ１は、サービスバルブ５７の胴部６０の外径Ｄ２よりも小さく形成されているので、この工具（レンチ）Ｋ１を、サービスバルブ５７の胴部６０に到達させることができる。
【００２４】
次に、液管のサービスバルブ５８のナット６５を締めたり緩めたりする場合には、図５に示すように、支持板５６の自由端部５６ｃの折り曲げ部５９に、工具Ｋ１をＲ方向にはめ込んで、この折り曲げ部５９を工具Ｋ１で固定するとともに、工具Ｋ２をナット６５にあてがう。そして、工具Ｋ２をＺ方向に回転させて、ナット６５を工具Ｋ２で締めたり緩めたりする。
【００２５】
要するに、この実施の形態によれば、支持板５６を片持ち式にすることにより支持板５６の剛性を低下させたにもかかわらず、上述のように工夫を加えたので、本体３内のガス管のサービスバルブ５７と液管のサービスバルブ５８の締めつけ、緩めの作業を、従来と同様に簡単に行なうことができる。そして、この実施の形態によれば、支持板５６は片持ち式で側板５３に取り付けられるので、自由端部５６の折り曲げ部５９と、仕切り板２９の間には空間が形成されるので、室外機５の内部の各要素の点検や交換が容易になる。
【００２６】
ガス管用のサービスバルブ５７は、図６に示すように、固定用の取付板１００，１００を有する。一方の取付板１００には固定用孔１００ａがあけられ、この固定用孔１００ａには、支持板５６に設けられた突起１２０がはめ込まれる。他方の取付板１００には固定用孔１００ｂがあけられ、この固定用孔１００ｂにはねじ１３０が通され、ガス管用のサービスバルブ５７は、このねじ１３０を介して支持板５３に固定されている。これによれば、ガス管用のサービスバルブ５７は支持板５６に簡単に固定されるし、サービスバルブ５７に何らかの衝撃が作用して、仮にモーメントが生じたとしても、サービスバルブ５７が支持板５６上で回転することはない、などの効果が得られる。
【００２７】
【発明の効果】
請求項１に記載の発明では、工具をガス管のサービスバルブのサービスポートを通じて胴部にはめ込むことができるので、過大な締め付け操作力を要する太いサービスバルブを操作しても支持板が変形することはない。
【００２９】
請求項２に記載の発明では、折り曲げ部を工具で保持するだけで支持板を支えることができるので、サービスバルブのねじを簡単に緩めたり、或いは簡単に締めたりすることが可能になる。
【００３０】
請求項３に記載の発明では、サービスバルブの固定が簡単になるとともに、サービスバルブを操作するときにモーメントがかかっても、サービスバルブがピンに支えられるので、サービスバルブが回転することはない。
【図面の簡単な説明】
【図１】本発明の空気調和機の室外機を示す正面図である。
【図２】本発明の空気調和機の室外機の内部構造の一例を示す斜視図である。
【図３】室外機の後側の内部に配置された支持板と、ガス管用のサービスバルブ、液管用のサービスバルブを示す斜視図である。
【図４】ガス管用のサービスバルブの操作例を示す斜視図である。
【図５】液管用のサービスバルブの操作例を示す斜視図である。
【図６】ガス管用のサービスバルブの支持板への取り付け例を示す正面図である。
【図７】従来の室外機の後側の内部に配置された支持板と、ガス管用のサービスバルブ、液管用のサービスバルブを示す図である。
【符号の説明】
５  室外機
５３  室外機の側板
５６  支持板
５６ｃ  支持板の自由端部
５７  ガス管用のサービスバルブ
５８  液管用のサービスバルブ
５９  折り曲げ部
６１  ガス管用のサービスバルブのサービスポート
１２０  支持板のピン
１３０  固定用のねじ
【図１】
0003767938.tif 000002
【図２】
0003767938.tif 000003
【図３】
0003767938.tif 000004
【図４】
0003767938.tif 000005
【図５】
0003767938.tif 000006
【図６】
0003767938.tif 000007
【図７】
0003767938.tif 000008